(57)【特許請求の範囲】
【請求項１】
スライドインパッケージをスライド収納するシェルフであって、
前記シェルフは、前記スライドインパッケージがスライド収納される場合に、前記スライドインパッケージに対して側方から押圧力を付与するバネ部材を備え、
前記バネ部材は、開口部側に配置された第一のバネ部材と、前記第一のバネ部材よりも奥行き側に配置されて前記第一のバネ部材よりも押圧力が大きな第二のバネ部材と、を備える
ことを特徴とするシェルフ。
【請求項２】
請求項１に記載のシェルフにおいて、
前記バネ部材は、前記スライドインパッケージの対向する両側方から内側に向けて押圧する
ことを特徴とするシェルフ。
【請求項３】
請求項１または請求項２に記載のシェルフにおいて、
前記バネ部材は、一端がシェルフの内壁に固定され、他端がシェルフの固定された前記一端から奥行き方向に突出して自由状態とされる板バネである
ことを特徴とするシェルフ。
【請求項４】
請求項３に記載のシェルフにおいて、
前記スライドインパッケージを引き抜く場合にスムースに引き抜けるように、
前記板バネの他端の、前記スライドインパッケージと接触する部位の外形が、弧状である
ことを特徴とするシェルフ。
【請求項５】
請求項４に記載のシェルフにおいて、
前記シェルフは、前記スライドインパッケージが収納された場合に、弧状の前記他端が配置される空間を有する
ことを特徴とするシェルフ。
【請求項６】
請求項１乃至請求項５のいずれか一項に記載のシェルフにおいて、
前記スライドインパッケージをガイドするとともに保持するスライドレールを備え、
前記スライドレールは摺動方向で間欠的に配置されるとともに、前記バネ部材は、前記スライドレールの間欠部位に配置される
ことを特徴とするシェルフ。
【請求項７】
請求項１乃至請求項５のいずれか一項に記載のシェルフにおいて、
前記スライドインパッケージをガイドして保持するとともに、前記シェルフの内壁に一端が固定された前記バネ部材の自由状態の他端を挿通させて突出させる開口部を有するスライドレールを備える
ことを特徴とするシェルフ。
【請求項８】
請求項１または請求項２に記載のシェルフにおいて、
前記スライドインパッケージをガイドするとともに保持するスライドレールを備え、
前記バネ部材は、前記スライドレールに両端を固定されて湾曲凸設される板バネである
ことを特徴とするシェルフ。
【請求項９】
請求項１乃至請求項８のいずれか一項に記載のシェルフと、
前記シェルフにスライド収納されるスライドインパッケージとを備える
ことを特徴とする電子装置。
【請求項１０】
スライドインパッケージをスライド収納するシェルフであって、
前記シェルフは、前記スライドインパッケージがスライド収納される場合に、前記スライドインパッケージに対して側方から押圧力を付与するバネ部材を備えるシェルフにおいて、
前記スライドインパッケージをガイドするとともに保持するスライドレールを備え、
前記バネ部材は、前記スライドレールに近接して前記シェルフの内壁に凸設され、前記スライドインパッケージがスライド収納される場合に、前記スライドインパッケージに立設された摩擦部材を押圧する
ことを特徴とするシェルフ。
【請求項１１】
請求項１０に記載のシェルフと、
基板上に立設された前記摩擦部材を備える前記スライドインパッケージと、を備える
ことを特徴とする電子装置。
【発明の詳細な説明】
【技術分野】
【０００１】
本発明は、プラグインパッケージをスライド収納するシェルフと電子装置とに関する。
【背景技術】
【０００２】
従来、電子部品が実装された複数のスライドインパッケージを収納する電子装置が知られている。図８は、従来の電子装置８００を説明する図である。図８に示すように、電子装置８００は、複数の電子部品が搭載された基板８２０と表板８２１とカードレバー８２４とを備えるプラグインパッケージ８５０をシェルフ８１０にスライド収納して構成される。
【０００３】
プラグインパッケージ８５０は、基板８２０の辺縁部にコネクタ８２２を備える。また、シェルフ８１０のバックワイヤリングボード（ＢＷＢ）８１４には、コネクタ８２２に嵌合するコネクタ８１３が配設されている。
【０００４】
また、プラグインパッケージ８５０は、基板８２０の辺縁部にガイドピン受け部８２３を備える。また、シェルフ８１０のバックワイヤリングボード８１４には、ガイドピン受け部８２３に嵌合するガイドピン８１２が立設されている。
【０００５】
プラグインパッケージ８５０は、シェルフ８１０の内壁両側面に設けられたガイドレール８１１に、基板８２０を嵌合させて、シェルフ８１０の奥に突き当たるまでスライドさせた後、カードレバー８２４を作用させて固定ロックされる。
【０００６】
プラグインパッケージ８５０がシェルフ８１０に固定ロックされた状態では、コネクタ８１３，８２２間が嵌合して、電気的または光学的に接続される。また、この場合に、ガイドピン８１２がガイドピン受け部８２３に嵌合することで、コネクタ８１３，８２２間の接続を補助するとともに、プラグインパッケージ８５０とシェルフ８１０との間の固定ロックをより確実かつ安定化させる。
【０００７】
また、プラグインパッケージ８５０がシェルフ８１０にスライド収納される場合に、過剰な速度でスライド挿入されてコネクタ８１３，８２２間が激突し損傷等することを防止するために、プラグインレールの摺動面に、摩擦材を配置することが提案されている。
【０００８】
上述した従来のプラグインレールや電子装置等は、例えば下記特許文献１等に記載されている。
【先行技術文献】
【特許文献】
【０００９】
【特許文献１】特開平８−２４２０８７号公報
【発明の概要】
【発明が解決しようとする課題】
【００１０】
従来、プラグインパッケージをシェルフにスライド収納する時の速度が過剰である場合には、コネクタが嵌合する際の衝撃が大きくなり、電子回路の誤動作や損傷が生じる懸念があった。
【００１１】
本発明は、プラグインパッケージをシェルフにスライド収納する時の速度を適正化して、コネクタが嵌合する際の衝撃を低減させ、電子回路の誤動作や損傷を抑止するシェルフや電子装置等を提供することを目的とする。
【課題を解決するための手段】
【００１２】
本発明のシェルフは、スライドインパッケージをスライド収納するシェルフであって、シェルフは、スライドインパッケージがスライド収納される場合に、スライドインパッケージに対して側方から押圧力を付与するバネ部材を備えることを特徴とする。
【００１３】
また、本発明のシェルフは、好ましくはバネ部材が、スライドインパッケージの対向する両側方から内側に向けて押圧することを特徴とする。
【００１４】
また、本発明のシェルフは、さらに好ましくは開口部側に配置された第一のバネ部材と、第一のバネ部材よりも奥行き側に配置されて第一のバネ部材よりも押圧力が大きな第二のバネ部材とを備えることを特徴とする。
【００１５】
また、本発明のシェルフは、さらに好ましくはバネ部材が、一端がシェルフの内壁に固定され、他端がシェルフの固定された一端から奥行き方向に突出して自由状態とされる板バネであることを特徴とする。
【００１６】
また、本発明のシェルフは、さらに好ましくはスライドインパッケージを引き抜く場合にスムースに引き抜けるように、板バネの他端の、スライドインパッケージと接触する部位の外形が、弧状であることを特徴とする。
【００１７】
また、本発明のシェルフは、さらに好ましくはシェルフが、スライドインパッケージが収納された場合に、弧状の他端が配置される空間を有することを特徴とする。
【００１８】
また、本発明のシェルフは、さらに好ましくはスライドインパッケージをガイドするとともに保持するスライドレールを備え、スライドレールが摺動方向で間欠的に配置されるとともに、バネ部材は、スライドレールの間欠部位に配置されることを特徴とする。
【００１９】
また、本発明のシェルフは、さらに好ましくはスライドインパッケージをガイドして保持するとともに、シェルフの内壁に一端が固定されたバネ部材の自由状態の他端を挿通させて突出させる開口部を有するスライドレールを備えることを特徴とする。
【００２０】
また、本発明のシェルフは、さらに好ましくはスライドインパッケージをガイドするとともに保持するスライドレールを備え、バネ部材は、スライドレールに両端を固定されて湾曲凸設される板バネであることを特徴とする。
【００２１】
また、本発明の電子装置は、上述したいずれかのシェルフと、シェルフにスライド収納されるスライドインパッケージとを備えることを特徴とする。
【００２２】
また、本発明のシェルフは、さらに好ましくはスライドインパッケージをガイドするとともに保持するスライドレールを備え、バネ部材が、スライドレールに近接してシェルフの内壁に凸設され、スライドインパッケージがスライド収納される場合に、スライドインパッケージに立設された摩擦部材を押圧することを特徴とする。
【００２３】
また、本発明の電子装置は、上述のシェルフと、基板上に立設された摩擦部材を備えるスライドインパッケージとを備えることを特徴とする。
【発明の効果】
【００２４】
本発明により、プラグインパッケージをシェルフにスライド収納する時の速度を適正化して、コネクタが嵌合する際の衝撃を低減させ、電子回路の誤動作や損傷を抑止するシェルフや電子装置等を提供できる。
【図面の簡単な説明】
【００２５】
【図１】第一の実施形態の電子装置について、上方から構成及び動作概要を説明する平面視断面図である。
【図２】第一の実施形態の電子装置について、上方から構成及び動作概要を説明する平面視断面図である。
【図３】第一の実施形態の電子装置について、上方から構成及び動作概要を説明する平面視断面図である。
【図４】（ａ）は、スライドインパッケージがシェルフに挿入開始される状態を説明する図であり、（ｂ）は、スライドインパッケージがシェルフに挿入されている途中状態を説明する図である。
【図５】（ａ）がバネ部材をスライドレールのスリットに嵌め込む前の状態を説明する図であり、（ｂ）がバネ部材をスライドレールのスリットに嵌め込んだ状態を説明する平面図であり、（ｃ）がバネ部材をスライドレールのスリットに嵌め込んだ状態を説明する斜視図である。
【図６】（ａ）が第三の実施形態のスライドレールにスライドインパッケージがガイドされてスライド収納される状態を説明する図であり、（ｂ）が第三の実施形態のスライドレールがシェルフの内壁に取り付けられる状態を説明する図である。
【図７】第四の実施形態のシェルフとスライドインパッケージとを説明する図である。
【図８】従来の電子装置を説明する図である。
【発明を実施するための形態】
【００２６】
実施形態で説明する電子装置は、複数の電子部品が多層基板に実装されたプラグインパッケージを、シェルフ（筐体ともいう）にスライド収納して構成される。プラグインパッケージには、シェルフ等と接続される外部電源や外部装置と電気的または光学的に接続するためのコネクタが配設される。
【００２７】
また、シェルフの内壁には、スライドインパッケージの摺動速度を抑制するバネ部材が設けられる。スライドインパッケージは、シェルフにスライド収納される場合に、バネ部材によって一対の両側辺を押圧されるので、その摩擦力により収納動作への抵抗が増大する。
【００２８】
これにより、仮にスライドインパッケージを勢いよくシェルフに挿入しようとした場合でも、スライドインパッケージの収納速度が減速されるので、過剰な勢いでシェルフに嵌め込まれる懸念を低減できる。従って、スライドインパッケージとシェルフの両コネクタが過剰な速度で衝突することが少なく、安全かつ確実にコネクタを嵌合させることができる。
【００２９】
また、例えば奥へスライド収納するに従ってスライドインパッケージがより大きな押圧力を受けて収納動作の抵抗がより増大するように、バネ部材の押圧力を奥にいくほど大きくしてもよい。これにより、コネクタを安全かつ確実に嵌合させるように次第に強い制動でスライドインパッケージを減速させることが可能となる。
【００３０】
また、バネ部材は、スライドインパッケージの一対の両側辺を押圧するように、スライドレールが配置される直線上のいずれかの箇所に複数取り付けてもよい。また、バネ部材は、例えばスライドレールの間欠部分や貫通孔や溝等に配置できる。これにより、省スペースな電子装置を実現できる。
【００３１】
（第一の実施形態）
図１乃至図３は、第一の実施形態の電子装置４０００について、上方から構成及びスライド収納の動作概要を説明する平面視の断面図である。図１から図３にかけて、スライドインパッケージ２０００がシェルフ３０３０に挿入されていく動作を順次説明している。
【００３２】
図１に示すようにスライドインパッケージ２０００は、シェルフ３０３０との間で光または電気的な接続を確保するコネクタ２０２０を備える。また、シェルフ３０３０は、コネクタ２０２０と嵌合するコネクタ３０４０を備える。また、シェルフ３０４０は、スライドインパッケージ２０００が挿入される場合にその両側辺を内側に押圧する複数のバネ部材３１００を内壁のスライドレール３０１０に沿って備える。
【００３３】
ここで、スライドインパッケージ２０００の対向する両側辺縁部は、スライドレール３０１０に嵌め込まれて、これにガイドされてシェルフ３０３０の奥へと挿入される。この場合に、バネ部材３１００がスライドレール３０１０の両側辺を押圧可能となるように、バネ部材３１００をスライドレール３０１０の間欠部分に設けることとしてもよい。
【００３４】
また、スライドインパッケージ２０００は、コネクタ２０２０，３０４０をより確実かつ安全に嵌合できるように、カードレバー２０４０を備えてもよい。また、バネ部材３１００の先端部３１５０は、スライドインパッケージ２０００を引き抜く場合にこれに引っ掛からないように、弧状とすることができる。先端部３１５０は、例えばバネ部材３１００を外側に折り返して湾曲させることで形成してもよい。
【００３５】
また、図２と図３とから理解できるように、スライドインパッケージ２０００をシェルフ３０３０に挿入するに従い、シェルフ３０３０の挿入口（開口部）側から順次バネ部材３１００がシェルフ３０３０の内壁に沿うように傾倒し圧縮される。これにより、スライドインパッケージ２０００の側辺がバネ部材３１００に付勢されることとなり、バネ部材３１００の先端部３１５０との摩擦力によりスライドインパッケージ２０００が制動される。
【００３６】
また、バネ部材３１００は、スライド収納のガイド方向に沿って複数設けることが好ましい。これにより、スライドインパッケージ２０００は、シェルフ３０３０の奥へとガイドされることに伴い、順次押圧されるバネ部材３１００の数が増大することとなるので、より強い制動力を付与される。換言すれば、コネクタ２０２０，３０４０の嵌合直前のスライドインパッケージ２０００は、最も多数のバネ部材３１００から総計として最大の押圧力による制動力を付与されているので、衝突や衝撃の発生を抑制することができる。
【００３７】
また、図３に示すように、スライドインパッケージ２０００がシェルフ３０３０に完全に挿入された状態では、スライドインパッケージ２０００が常にバネ部材３１００から押圧されていることとなる。このため、電子装置４０００に揺れや振動が生じた場合でも、スライドインパッケージ２０００の一対の両側辺が押圧固定されてシェルフ３０３０に強固に保持されることとなり好ましい。
【００３８】
また、図４は、第一の実施形態のバネ部材３１００を概念的に説明する図である。図４（ａ）は、スライドインパッケージ２０００がシェルフ３０３０に挿入開始される状態を説明する図であり、図４（ｂ）は、スライドインパッケージ２０００がシェルフ３０３０に挿入されている途中状態を説明する図である。
【００３９】
図４から理解できるように、第一の実施形態のスライドレール３０１０は、ガイド方向に対して間欠的に備えられる。また、スライドレール３０１０の間欠部分には、それぞれバネ部材３１００が備えられる。バネ部材３１００は、スライドインパッケージ２０００の挿入口から奥方向に向けて、シェルフ３０３０の内壁との角度が次第に大きくなるように立設されている。
【００４０】
すなわち、図４（ａ）に示すように、バネ部材３１００とシェルフとの為す角度について、θ１＜θ２＜θ３となるように、バネ部材３１００がシェルフ３０３０の内壁に立設される。また、例えばバネ部材３１００の弾性力が、スライドインパッケージ２０００の挿入口から奥方向に向けて順次増大するように、バネの形状や材質等を替えてもよい。
【００４１】
これにより、スライドインパッケージ２０００がシェルフ３０３０の奥へとガイドされるに伴い、より大きな押圧力をバネ部材３１００から付与される。すなわち、スライドインパッケージ２０００がシェルフ３０３０の奥へとガイドされるに伴い、加速度的に増大した大きな制動力でスライド動作を制動されることとなるので、より安全にコネクタ２０２０，３０４０を嵌合させることができる。
【００４２】
また、図４（ｂ）から理解できるように、スライドインパッケージ２０００が収納された状態で、シェルフ３０３０の内壁側にバネ部材３１００の先端部３１５０が収納される空間３１５５が形成される。先端部３１５０は、球状に形成されたり、外側に湾曲させて弧状に形成されたりしているため、バネ部材３１００が圧縮された場合に対応する収容スペースが必要となる。これに対応して、第一の実施形態のシェルフ３０３０の内壁には、圧縮されたバネ部材３１００の先端部３１５０が収納される空間３１５５が確保されているので、スムースなバネ部材３１００の圧縮が可能である。
【００４３】
（第二の実施形態）
図５は、第二の実施形態のバネ部材３１００（２）を説明する図である。図５（ａ）がバネ部材３１００（２）をスライドレール３０１０（２）のスリット３０１１（１），３０１１（２）に嵌め込む前の状態を説明する図であり、図５（ｂ）がバネ部材３１００（２）をスライドレール３０１０（２）のスリット３０１１（１），３０１１（２）に嵌め込んだ状態を説明する平面図であり、図５（ｃ）がバネ部材３１００（２）をスライドレール３０１０（２）のスリット３０１１（１），３０１１（２）に嵌め込んだ状態を説明する斜視図である。
【００４４】
図５において、スリット３０１１（１），３０１１（２）は、バネ部材３１００（２）の長さよりも短い間隔でスライドレール３０１０（２）の溝底面に設けられる。また、第二の実施形態のバネ部材３１００（２）は、例えば金属板から型取りされた板バネであってもよい。
【００４５】
図５（ｂ）と図５（ｃ）とから理解できるように、バネ部材３１００（２）は、スライドレール３０１０（２）の溝底面に湾曲して凸設されるので、溝に沿ってガイドされるスライドインパッケージ２０００の側辺に対して所望の制動力を付与することができる。
【００４６】
第二の実施形態においては、スライドレール３０１０（２）を間欠状態としないので、スライドインパッケージ２０００の確実なガイドが可能となるので好ましい。また、バネ部材３１００（２）を配置するスペースを、シェルフ３０３０の内壁に別途追加的に設ける必要がないので、小型かつ省スペースな電子装置となり好ましい。また、第二の実施形態のバネ部材３１００（２）は、スライドレール３０１０（２）に容易に脱着可能であるので、取り替え等のメンテナンス作業が迅速かつ容易に実施できる。
【００４７】
（第三の実施形態）
図６は、第三の実施形態のスライドレール３０１０（３）を説明する図である。図６（ａ）が第三の実施形態のスライドレール３０１０（３）にスライドインパッケージ２０００がガイドされてスライド収納される状態を説明する図であり、図６（ｂ）が第三の実施形態のスライドレール３０１０（３）がシェルフ３０３０の内壁に取り付けられる状態を説明する図である。
【００４８】
第三の実施形態のスライドレール３０１０（３）は、バネ部材３１００に対応する箇所にバネ部材挿通孔３０１２（１），３０１２（２）を備える。また、バネ部材３１００は、予めシェルフ３０３０の内壁にネジ等の締結部材により取り付けられている。そして、複数のバネ部材３１００が各々バネ部材挿通孔３０１２（１），３０１２（２）に対応するように、スライドレール３０１０（３）を取り付けることで、スライドレール３０１０（３）の溝底面からバネ部材３１００が突出するように配置される。
【００４９】
なお、図６においては、バネ部材挿通孔３０１２（１），３０１２（２）を二つの場合についてのみ説明しているが、バネ部材３１００の数に対応した任意の複数だけ備えることができる。
【００５０】
図６から理解されるように第三の実施形態では、バネ部材挿通孔３０１２（１），３０１２（２）は、バネ部材３１００が圧縮された場合の収納空間も兼ねることができる。また、図６において、バネ部材３１００は、スライドインパッケージ２０００の挿入口から奥方向に向けてシェルフ３０３０の内壁との角度が次第に大きくなるように立設されてもよい。
【００５１】
これにより、スライドインパッケージ２０００がシェルフ３０３０の奥へとガイドされるに伴い、より大きな押圧力をバネ部材３１００から付与される。従って、スライドインパッケージ２０００がシェルフ３０３０の奥へとガイドされるに伴い、加速度的に増大した大きな制動力でスライド動作を制動されることとなるので、より安全にコネクタ２０２０，３０４０を嵌合させることができる。
【００５２】
（第四の実施形態）
図７は、第四の実施形態のシェルフ３０３０（４）とスライドインパッケージ２０００（４）とを説明する図である。図７において、第四の実施形態のバネ部材３１００（３）はシェルフ３０３０（４）の内壁に、スライドレール３０１０（４）に近接して複数立設される。
【００５３】
また、スライドインパッケージ２０００（４）は、シェルフ３０３０（４）の内壁に立設されたバネ部材３１００（３）に対応する位置に、Ｌ字状の摩擦部材２１００を備える。
【００５４】
そして、摩擦部材２１００とバネ部材３１００（３）との摩擦力により、スライドインパッケージ２０００（４）が制動される。
【００５５】
上述した各実施形態におけるシェルフとスライドインパッケージとそれらを備える電子装置は、コネクタ間の衝突や嵌合時の衝撃発生を効果的に低減することが可能となるので好ましい。
【００５６】
また、上述した各実施形態におけるシェルフとスライドインパッケージとそれらを備える電子装置とは、実施形態での個別の説明に限定されることはなく、適宜組み合わせた構成とすることができる。
【００５７】
また、上述した各実施形態におけるシェルフとスライドインパッケージとそれらを備える電子装置とは、自明な範囲で適宜その形状や構造や材料を変更して用いることができる。
【産業上の利用可能性】
【００５８】
本発明は、プラグインパッケージをシェルフにスライド収納する電子装置等一般に幅広く適用できる。
【符号の説明】
【００５９】
２０００・・スライドインパッケージ、２０４０・・カードレバー、２０２０・・コネクタ、３０３０・・シェルフ、３０４０・・コネクタ、３０１０・・スライドレール、３１００・・バネ部材、３１５０・・先端部。
【図１】
0005495912.tif 000002
【図２】
0005495912.tif 000003
【図３】
0005495912.tif 000004
【図４】
0005495912.tif 000005
【図５】
0005495912.tif 000006
【図６】
0005495912.tif 000007
【図７】
0005495912.tif 000008
【図８】
0005495912.tif 000009